(57)【要約】【課題】  電波モジュールとしての製品寿命を長くすることができ、しかも、電池が交換される段階でも記憶部に記憶されているメモリ情報を適切に保持できると共に、製品として流通される途中の保管段階でもセキュリティ動作を適切に実施できるようにする。【解決手段】  電波モジュール１は、メイン電池３２が電波モジュール本体２に対して着脱可能に構成されていると共に、メイン電池３２が電波モジュール本体２に対して正常に装着されていない態様であっても、サブ電池９から揮発性メモリ６０及び異常検出部５７へ動作電力が供給されるように構成されている。メイン電池３２の容量が消耗した場合には、メイン電池３２を交換することにより、電波モジュール１としての製品寿命を長くすることができる。【選択図】  図１
2006311075.tif 000002
【特許請求の範囲】
【請求項１】
電波モジュールの動作全般を制御する制御部と、通信動作を行うＲＦ部と、メモリ情報を記憶する記憶部と、セキュリティに関係する異常が発生したか否かを検出する異常検出部とを備え、メイン電池が電波モジュール本体に対して正常に装着されている態様で少なくとも前記制御部と前記ＲＦ部と前記記憶部とが前記メイン電池から供給される電力を動作電力として動作する電子ナンバープレート用の電波モジュールであって、
前記メイン電池が単独で前記電波モジュール本体に対して着脱可能であると共に前記メイン電池とは別体にサブ電池が搭載され、前記メイン電池が前記電波モジュール本体に対して正常に装着されていない態様であっても、前記サブ電池から少なくとも前記記憶部及び前記異常検出部へ動作電力が供給されることにより、前記記憶部に記憶されているメモリ情報が保持されると共にセキュリティに関係する異常が発生したか否かが前記異常検出部により検出されることを特徴とする電子ナンバープレート用の電波モジュール。
【請求項２】
請求項１に記載した電子ナンバープレート用の電波モジュールにおいて、
前記メイン電池が前記電波モジュール本体に対して正常に装着されていない場合であっても、セキュリティに関係する異常が発生した旨が前記異常検出部により検出された場合には、前記記憶部に記憶されているメモリ情報の一部または全部が消去されることを特徴とする電子ナンバープレート用の電波モジュール。
【請求項３】
請求項１または２に記載した電子ナンバープレート用の電波モジュールにおいて、
前記制御部を起動させるための条件が成立したか否かを検出するウェイクアップ部と、
前記ウェイクアップ部の検出結果または前記異常検出部の検出結果を判定して前記制御部を起動させるための条件が成立した旨を検出した場合に前記制御部を起動させる判定部とを備え、
前記メイン電池が前記電波モジュール本体に対して正常に装着されていない態様であっても、前記サブ電池から前記判定部へ動作電力が供給されることにより、前記異常検出部の検出結果が前記判定部により判定されることを特徴とする電子ナンバープレート用の電波モジュール。
【請求項４】
請求項３に記載した電子ナンバープレート用の電波モジュールにおいて、
低周波クロックを前記判定部へ動作クロックとして供給する低周波発振部を備え、
セキュリティに関係する異常が発生した旨が前記異常検出部により検出された旨をトリガとして前記低周波発振部から前記判定部へ低周波クロックが供給されることを特徴とする電子ナンバープレート用の電波モジュール。
【請求項５】
請求項１ないし４のいずれかに記載した電子ナンバープレート用の電波モジュールにおいて、
各機能ブロックへの動作電力の供給元を前記サブ電池と前記メイン電池との間で切替える電源部を備え、
各機能ブロックへの動作電力の供給元が前記サブ電池であるときに前記メイン電池が前記電波モジュール本体に対して正常に装着された場合には、前記メイン電池が前記電波モジュール本体に対して正常に装着された旨をトリガとして各機能ブロックへの動作電力の供給元が前記サブ電池から前記メイン電池へ前記電源部により切替えられることを特徴とする電子ナンバープレート用の電波モジュール。
【請求項６】
請求項１ないし５のいずれかに記載した電子ナンバープレート用の電波モジュールにおいて、
前記電波モジュール本体がナンバープレートから取外されることなく且つ防水構造を有する着脱機構により前記メイン電池が前記電波モジュール本体に対して着脱可能であると共に、その着脱方向が前記ナンバープレートの上方向、横方向または下方向のいずれかであることを特徴とする電子ナンバープレート用の電波モジュール。
【請求項７】
請求項１ないし６のいずれかに記載した電子ナンバープレート用の電波モジュールにおいて、
前記メイン電池が前記電波モジュール本体に対して正常に装着された態様で前記メイン電池及び前記電波モジュール本体の一部または全体がカバーにより覆われることが可能に構成されていることを特徴とする電子ナンバープレート用の電波モジュール。
【発明の詳細な説明】
【技術分野】
【０００１】
本発明は、電波モジュールの動作全般を制御する制御部と、通信動作を行うＲＦ部と、メモリ情報を記憶する記憶部と、セキュリティに関係する異常が発生したか否かを検出する異常検出部とを備え、メイン電池が電波モジュール本体に対して正常に装着されている態様で少なくとも前記制御部と前記ＲＦ部と前記記憶部とが前記メイン電池から供給される電力を動作電力として動作するように構成されている電子ナンバープレート用の電波モジュールに関する。
【背景技術】
【０００２】
電子ナンバープレート用の電波モジュールにおいては、記憶部に記憶されているメモリ情報（例えば車検証情報やセキュリティ情報など）を保護するために、回路素子や動作電源などが１つの筐体内に封止されている構造が一般的であり、それに伴って、動作電源として電池が採用されているのが一般的である。ところで、動作電源である電池の容量が消耗した場合には電池を交換する必要があるが、上記したように電池が筐体内に封止されている構成では、電池を単独で交換することができないことから、電波モジュール全体を交換せざるを得ず、その結果、回路素子などの他の部品の製品寿命に比べて極めて短い交換周期となってしまうという問題がある。
【０００３】
この問題を解決する方法として、電池を単独で交換可能な構造にすることが考えられるが、単に電池を単独で交換可能な構造にしただけでは、電池が交換される段階では記憶部への動作電力の供給が一時的に停止されることから、記憶部（特に揮発性メモリ）に記憶されているメモリ情報を適切に保持することができないという新たな問題が発生することになり、また、製品として流通される途中の保管段階では電池が装着されていないことから、セキュリティ動作を適切に実施することができないという新たな問題が発生することになる。
【０００４】
一方、車載セキュリティ装置において、セキュリティ動作を開始した後にメイン電源が遮断された場合であっても、バックアップ電池から動作電力が供給されることにより、セキュリティ動作が継続されるよう構成されたものがある（例えば特許文献１参照）。
【特許文献１】特開２００４−１３０９４２号公報
【発明の開示】
【発明が解決しようとする課題】
【０００５】
しかしながら、上記した特許文献１に記載されているものでは、バックアップ電池の容量が消耗してしまうと、それ以後のセキュリティ動作を継続することが困難となり、上記したような電池が交換される段階で記憶部に記憶されているメモリ情報を適切に保持することができないという問題や製品として流通される途中の保管段階でセキュリティ動作を適切に実施することができないという問題が解決されるには至っていない。
【０００６】
本発明は、上記した事情に鑑みてなされたものであり、その目的は、電波モジュールとしての製品寿命を長くすることができ、しかも、電池が交換される段階でも記憶部に記憶されているメモリ情報を適切に保持することができると共に、製品として流通される途中の保管段階でもセキュリティ動作を適切に実施することができる電子ナンバープレート用の電波モジュールを提供することにある。
【課題を解決するための手段】
【０００７】
請求項１に記載した発明によれば、電波モジュールの動作全般を制御する制御部と、通信動作を行うＲＦ部と、メモリ情報を記憶する記憶部と、セキュリティに関係する異常が発生したか否かを検出する異常検出部とを備え、メイン電池が電波モジュール本体に対して正常に装着されている態様で少なくとも制御部とＲＦ部と記憶部とがメイン電池から供給される電力を動作電力として動作するものであって、メイン電池が単独で電波モジュール本体に対して着脱可能であると共にメイン電池とは別体にサブ電池が搭載され、メイン電池が電波モジュール本体に対して正常に装着されていない態様であっても、サブ電池から少なくとも記憶部及び異常検出部へ動作電力が供給されることにより、記憶部に記憶されているメモリ情報が保持されると共にセキュリティに関係する異常が発生したか否かが異常検出部により検出される。
【０００８】
これにより、メイン電池が単独で電波モジュール本体に対して着脱可能に構成したので、メイン電池の容量が消耗した場合には、容量が消耗したメイン電池から容量が十分なメイン電池に交換することにより、電波モジュールとしての製品寿命を長くすることができる。また、メイン電池が電波モジュール本体に対して正常に装着されていない態様であっても、サブ電池から少なくとも記憶部及び異常検出部へ動作電力が供給されるように構成したので、メイン電池が交換される段階でも記憶部への動作電力の供給が一時的に停止されることがなく、記憶部に記憶されているメモリ情報を適切に保持することができると共に、製品として流通される途中の保管段階でメイン電池が搭載されていなくとも、セキュリティ動作を適切に実施することができる。
【０００９】
請求項２に記載した発明によれば、メイン電池が電波モジュール本体に対して正常に装着されていない場合であっても、セキュリティに関係する異常が発生した旨が異常検出部により検出されると、記憶部に記憶されているメモリ情報の一部または全部が消去されるように構成したので、セキュリティに関係する異常が発生した場合にメモリ情報が盗まれたり改ざんされたりすることを未然に回避することできる。
【００１０】
請求項３に記載した発明によれば、制御部を起動させるための条件が成立したか否かを検出するウェイクアップ部と、ウェイクアップ部の検出結果または異常検出部の検出結果を判定して制御部を起動させるための条件が成立した旨を検出した場合に制御部を起動させる判定部とを備え、メイン電池が電波モジュール本体に対して正常に装着されていない態様であっても、サブ電池から判定部へ動作電力が供給されることにより、異常検出部の検出結果が判定部により判定されるように構成したので、本来はウェイクアップ部の検出結果を判定する判定部を、異常検出部の検出結果を判定する機能ブロックとしても動作させることができ、異常検出部と合わせてより確実な異常判定を行うことが可能となり、本来はウェイクアップ部の検出結果を判定する判定部を有効に活用することができる。
【００１１】
請求項４に記載した発明によれば、低周波クロックを判定部へ動作クロックとして供給する低周波発振部を備え、セキュリティに関係する異常が発生した旨が異常検出部により検出された旨をトリガとして低周波発振部から判定部へ低周波クロックが供給されるように構成したので、メイン電池が電波モジュール本体に対して正常に装着されていない態様であっても、低周波発振部の動作期間を必要最小限に抑制することにより、低周波発振部の電力消費を抑制することができ、電波モジュール全体としての電力消費を抑制することができる。
【００１２】
請求項５に記載した発明によれば、各機能ブロックへの動作電力の供給元をサブ電池とメイン電池との間で切替える電源部を備え、各機能ブロックへの動作電力の供給元がサブ電池であるときにメイン電池が電波モジュール本体に対して正常に装着されると、メイン電池が電波モジュール本体に対して正常に装着された旨をトリガとして各機能ブロックへの動作電力の供給元がサブ電池からメイン電池へ電源部により切替えられるように構成したので、サブ電池の容量の消耗を必要最小限に抑制することができ、電波モジュールとしての製品寿命をより一層長くすることができる。
【００１３】
請求項６に記載した発明によれば、電波モジュール本体がナンバープレートから取外されることなく且つ防水構造を有する着脱機構によりメイン電池が電波モジュール本体に対して着脱可能であると共に、その着脱方向がナンバープレートの上方向、横方向または下方向のいずれかであるよう構成したので、着脱箇所で防水性を確保することができると共に、ナンバープレートの上方向、横方向または下方向のいずれかから着脱することができる。
【００１４】
請求項７に記載した発明によれば、メイン電池が電波モジュール本体に対して正常に装着された態様でメイン電池及び電波モジュール本体の一部または全体がカバーにより覆われることが可能に構成したので、電波モジュールに汚れや水滴が直接付着されるのを未然に回避することができ、また、着脱箇所が外部に露出されないことから、装着が自発的に外れてしまうことを回避することができると共に、第三者により装着が意図的に外されてしまうことをも回避することができる。
【発明を実施するための最良の形態】
【００１５】
（第１の実施形態）
以下、本発明の第１の実施形態について、図１ないし図８を参照して説明する。図２は、電子ナンバープレート用の電波モジュール（以下、単に電波モジュールと称する）の構成部品である電波モジュール本体及び取付けステーなどの横断平面図を示している。電波モジュール１は、電波モジュール本体２が取付けステー３を介してナンバープレート４に取付けられる構造となっている。この場合、電波モジュール１は、車両の前端部に配置されているナンバープレートに取付けられても良いし、車両の後端部に配置されているナンバープレートに取付けられても良い。
【００１６】
電波モジュール本体２は、その筐体５がナンバープレート４側（図２では下側）に開口する２段形状の凹部６とナンバープレート４とは反対側（図２では上側）に開口する凹部７とがナンバープレート４の横方向（図２では左右方向）に沿って並ぶ形状に構成されている。２段形状の凹部６にあってナンバープレート４と反対側（幅寸法が小さい側）はサブ電池収容部８とされており、サブ電池収容部８には、例えばボタン電池から構成されるサブ電池９が蓋部材１０の上面側（図２では上側）に位置決め部１１ａ，１１ｂにより位置決めされた態様で搭載されていると共に、サブ電池９から見てナンバープレート４とは反対側にプリント基板１２が配置されている。プリント基板１２は、その表面側（図２では上側）に例えば導体パターンによりパッチアンテナ１３が形成されていると共に、その裏面側（図２では下側）に詳しくは後述する各機能ブロックを構成する回路素子１４が実装されている。
【００１７】
サブ電池９の正極９ａは、アーチ形状のターミナル１５を介してプリント基板１２に接続されており、サブ電池９の負極９ｂは、直線形状のターミナル１６を介してプリント基板１２に接続されている。また、筐体５とプリント基板１２との間には、筐体５からプリント基板１２に作用する応力を緩和するための緩衝部材（クッション部材）１７ａ，１７ｂが介在されている。尚、上記したサブ電池収容部８では、蓋部材１０が筐体５の段差部５ａ，５ｂに固着されていることにより、サブ電池９、プリント基板１２、アンテナ１３及び回路素子１４などが封止されている。
【００１８】
筐体５とプリント基板１２との間には、詳しくは後述する異常検出部として機能する例えば接点スイッチ１８が配置されている。この接点スイッチ１８は、一方の接点１８ａがプリント基板１２に固着されていると共に他方の接点１８ｂが筐体５に固着されており、電波モジュール本体２が正常に封止されている態様では、一方の接点１８ａと他方の接点１８ｂとに互いに向き合う方向の応力が作用することにより両者が接しているものであるが、例えば第三者が電波モジュール１を盗難したり破壊したりすることを目的として電波モジュール本体２の筐体５を取外すと、筐体５とプリント基板１２とが離れて一方の接点１８ａと他方の接点１８ｂとが離れるように構成されている。
【００１９】
本体側コネクタ１９（本発明でいう着脱機構）は、筐体５に一体的に形成されており、正極端子２０が正極リード線２１を介してプリント基板１２に接続されていると共に負極端子２２が負極リード線２３を介してプリント基板１２に接続されている。一方、凹部７は、取付けボルト２４が封緘２５を介して取付けられる取付けボルト取付部２６とされており、その所定部位には取付けボルト２４の軸２４ａが貫通される貫通穴７ａが形成されている。
【００２０】
取付けステー３は、上記した電波モジュール本体２がナンバープレート４に取付けられるための部品として機能するものであり、その筐体２７がナンバープレート４とは反対側に開口する凹部２８と板状部２９とがナンバープレート４の横方向に沿って並ぶ形状に構成されている。凹部２８は、側壁部３０ａ，３０ｂがナンバープレート４の上下方向に沿って形成されていると共に底壁部３１（図３参照）がナンバープレート４の左右方向に沿って形成されている。この場合、これら側壁部３０ａ，３０ｂ間の寸法（図２中「Ｗ１」参照）は後述するメイン電池３２の幅方向の寸法（図６及び図７中「Ｗ２」参照）よりも僅かに大きく設定されている。
【００２１】
また、図４に示すように、電波モジュール本体２が取付けステー３を介してナンバープレート４に対して正常に取付けられた態様では、取付けステー３の凹部２８が電波モジュール本体２の凹部６にあって蓋部材１０の下方に嵌合されることによりメイン電池収容部３３が形成されるようになっている。この場合、凹部２８の底面と蓋部材１０との間の寸法（図４中「Ｄ１」参照）は後述するメイン電池３２の奥行き方向の寸法（図７中「Ｄ２」参照）よりも僅かに大きく設定されている。一方、板状部２９は、ナンバープレート４の周縁部に回り込ませて引掛けるための引掛部３４が形成されていると共に、上記した電波モジュール本体２の凹部７と同様にして、その所定部位には取付けボルト２４の軸２４ａが貫通される貫通穴２９ａが形成されている。
【００２２】
このようにして構成されてなる電波モジュール本体２及び取付けステー３は、図３ないし図５に示すように、取付けボルト２４により封緘２５と共にナンバープレート４の隅（本実施形態ではナンバープレート４を正面から見てナンバープレート４の左上）に取付けられる。そして、取付けボルト２４は、電波モジュール本体２及び取付けステー３がナンバープレート４に取付けられた後に、その上部が封印４１により封止される。
【００２３】
メイン電池３２は、図６に示すように、略矩形状の電池本体３５から電池側コネクタ３６（本発明でいう着脱機構）が引出された形状に構成されている。電池側コネクタ３６は、正極端子３７と負極端子３８とが電池本体３５の奥行き方向に沿って並んで配置されており、正極端子３７が正極リード線３９を介して電池本体３５に接続されていると共に負極端子３８が負極リード線４０を介して電池本体３５に接続されている。
【００２４】
この場合、メイン電池３２がメイン電池収容部３３に対して正常に収容された態様、つまり、メイン電池３２が電波モジュール本体２に対して正常に装着された態様では、電池側コネクタ３６が上記した本体側コネクタ１９に対して嵌合されるようになっており、電池側コネクタ３６の正極端子３７と本体側コネクタ１９の正極端子２０とが導通されると共に電池側コネクタ３６の負極端子３８と本体側コネクタ１９の負極端子２２とが導通され、メイン電池３２の電力が電池側コネクタ３６及び本体側コネクタ１９を介して電波モジュール本体２側へ伝送されて回路素子１４へ供給されるようになっている。尚、この場合、電池側コネクタ３６が本体側コネクタ１９に対して正常に嵌合されているときには、電池側コネクタ３６の爪部３６ａと本体側コネクタ１９の爪部１９ａとが係止されている。尚、本体側コネクタ１９と電池側コネクタ３６とは共に防水構造となっている。
【００２５】
尚、本実施形態では、メイン電池収容部３３がナンバープレート４の上方に開口を有するように構成されることから、図６に示すように、メイン電池３２がナンバープレート４の上方向から着脱されることになる。ここで、図７は、メイン電池３２がメイン電池収容部３３に対して正常に収容された態様、つまり、メイン電池３２が電波モジュール本体２に対して正常に装着された態様を示している。
【００２６】
次に、上記した電波モジュール１の電気的な構成について、図１を参照して説明する。電波モジュール１は、機能ブロックとして、制御部５１、スイッチ部５２、ＲＦ部５３、高周波発振部５４、不揮発性メモリ５５（本発明でいう記憶部）、ウェイクアップ部５６、上記した接点スイッチ１８から構成される異常検出部５７、判定部５８、低周波発振部５９、揮発性メモリ６０（本発明でいう記憶部）及び電源部６１を備えて構成されている。これら各機能ブロックは、上記した回路素子１４により実現されている。
【００２７】
電源部６１は、これら各機能ブロックへの動作電力の供給元をサブ電池９とメイン電池３２との間で切替える。具体的に説明すると、メイン電池３２が電波モジュール本体２に対して正常に装着されている場合であれば、電源部６１は、メイン電池３２と各機能ブロックとの間の電力供給線を接続すると共にサブ電池９と各機能ブロックとの間の電力供給線を切断することにより、メイン電池３２から供給される電力を制御部５１、スイッチ部５２、ＲＦ部５３、高周波発振部５４、不揮発性メモリ５５、ウェイクアップ部５６、異常検出部５７、判定部５８、低周波発振部５９及び揮発性メモリ６０の機能ブロックの全てへ動作電力として供給可能である。つまり、電源部９は、メイン電池３２が電波モジュール本体２に対して正常に装着されている場合であれば、メイン電池３２をサブ電池９よりも優先することにより、メイン電池３２が電波モジュール本体２に対して正常に装着された旨をトリガとして各機能ブロックへの動作電力の供給元をサブ電池９からメイン電池３２へ切替える。
【００２８】
これに対して、メイン電池３２が電波モジュール本体２に対して正常に装着されていない（メイン電池３２が電波モジュール本体２に対して装着されていない、または、電池本体３５がメイン電池収容部３３に収容されていたとしても電池側コネクタ３６が本体側コネクタ１９に対して正常に嵌合されていない）場合であれば、電源部６１は、サブ電池９と各機能ブロックとの間の電力供給線を接続すると共にメイン電池３２と各機能ブロックとの間の電力供給線を切断することにより、サブ電池９から供給される電力を少なくとも異常検出部５７及び揮発性メモリ６０の機能ブロックのみへ動作電力として供給する。この場合、サブ電池９から供給される電力を判定部５８及び低周波発振部５９へも動作電力として常時供給するようにしても良いが、より電力消費を抑制するには、セキュリティに関係する異常が発生した旨が異常検出部５７により検出された時点をトリガとして判定部５８及び低周波発振部５９へ動作電力を供給するのが望ましい。
【００２９】
換言すれば、上記した構成では、メイン電池３２が電波モジュール本体２に対して正常に装着されている場合であれば、制御部５１、スイッチ部５２、ＲＦ部５３、高周波発振部５４、不揮発性メモリ５５、ウェイクアップ部５６、異常検出部５７、判定部５８、低周波発振部５９及び揮発性メモリ６０の機能ブロックの全てがメイン電池３２から供給される電力を動作電力として動作し（図１中「ａ」参照）、これに対して、メイン電池３２が電波モジュール本体２に対して正常に装着されていない場合であれば、少なくとも異常検出部５７及び揮発性メモリ６０の機能ブロックのみがサブ電池９から供給される電力を動作電力として動作し、セキュリティに関係する異常が発生した旨が異常検出部５７により検出されると、判定部５８及び低周波発振部５９の機能ブロックもサブ電池９から供給される電力を動作電力として動作する（図１中「ｂ」参照）。
【００３０】
ここで、上記した各機能ブロックの処理を説明する。ウェイクアップ部５６は、電波信号がアンテナ６２により捕捉されてスイッチ部５２を介して入力されると、例えば電波信号を包絡線検波して判定部５８へ信号出力する。判定部５８は、ウェイクアップ部５６により検波された信号に基づいて電波モジュール１（制御部５１）を起動させるための条件が成立したか否かを判定し、起動させるための条件が成立した旨を検出すると、起動信号を制御部５１へ出力する。そして、制御部５１は、判定部５８から起動信号が入力されると、高周波発振部５４から供給される高周波クロックを動作クロックとして動作し、ＲＦ部５３の通信動作を制御すると共に不揮発性メモリ５５に対してメモリ情報（例えば車検証情報やセキュリティ情報など）の読み書き動作を制御する。
【００３１】
揮発性メモリ６０は、例えば不揮発性メモリ５５に記憶されているメモリ情報をバックアップしたりセキュリティに関係する情報を保持したりしておくためのバックアップメモリとして機能するもので、バックアップ情報としてのメモリ情報を記憶している。異常検出部５７は、上記したように例えば第三者が電波モジュール１を盗難したり破壊したりすることを目的として電波モジュール本体２の筐体５を取外すことにより接点スイッチ１８の一方の接点１８ａと他方の接点１８ｂとが離れると、異常検出信号を判定部５８及び低周波発振部５９へ出力する。
【００３２】
低周波発振部５９は、異常検出部５７から異常検出信号が入力されると、その異常検出信号が入力された旨をトリガとして低周波クロックを判定部５８へ供給する。判定部５８は、異常検出部５７から異常検出信号が入力されると、低周波発振部５９から供給される低周波クロックを動作クロックとして動作し、異常検出であると判定するための条件が成立したか否かを判定し、その条件が成立した旨を検出すると、起動信号を制御部５１へ出力するのと合わせて異常通知信号をも制御部５１へ出力する。制御部５１は、判定部５８から起動信号と合わせて異常通知信号が入力されると、高周波発振部５４から供給される高周波クロックを動作クロックとして動作し、不揮発性メモリ５５に記憶されているメモリ情報の一部または全部を消去すると共に、揮発性メモリ６０に記憶されているメモリ情報の一部または全部をも消去する。
【００３３】
以上に説明したように第１の実施形態によれば、電波モジュール１において、メイン電池３２が電波モジュール本体２に対して着脱可能に構成したので、メイン電池３２の容量が消耗した場合には、容量が消耗したメイン電池３２から容量が十分なメイン電池３２に交換することにより、電波モジュール１としての製品寿命を長くすることができる。また、メイン電池３２が電波モジュール本体２に対して正常に装着されていない態様であっても、サブ電池９から揮発性メモリ６０及び異常検出部５７へ動作電力が供給されるように構成したので、メイン電池３２が交換される段階でも揮発性メモリ６０への動作電力の供給が一時的に停止されることがなく、揮発性メモリ６０に記憶されているメモリ情報を適切に保持することができると共に、製品として流通される途中の保管段階でメイン電池３２が搭載されていなくとも、セキュリティ動作を適切に実施することができる。
【００３４】
また、メイン電池３２が電波モジュール本体２に対して正常に装着されていない場合であっても、セキュリティに関係する異常が発生した旨が異常検出部５７により検出されると、揮発性メモリ６０に記憶されているメモリ情報の一部または全部が消去されるように構成したので、セキュリティに関係する異常が発生した場合にメモリ情報が盗まれたり改ざんされたりすることを未然に回避することできる。
【００３５】
また、メイン電池３２が電波モジュール本体２に対して正常に装着されていない態様であっても、サブ電池９から判定部５８へ動作電力が供給されることにより、異常検出部５７の検出結果が判定部５８により判定されるように構成したので、本来はウェイクアップ部５６の検出結果を判定する判定部５８を、異常検出部５７の検出結果を判定する機能ブロックとしても動作させることができ、異常検出部５７と合わせてより確実な異常判定を行うことが可能となり、本来はウェイクアップ部５６の検出結果を判定する判定部５８を有効に活用することができる。
【００３６】
また、セキュリティに関係する異常が発生した旨が異常検出部５７により検出された旨をトリガとして低周波発振部５９から判定部５８へ低周波クロックが供給されるように構成したので、メイン電池３２が電波モジュール本体２に対して正常に装着されていない態様であっても、低周波発振部５９の動作期間を必要最小限に抑制することにより、低周波発振部５９の電力消費を抑制することができ、電波モジュール１全体としての電力消費を抑制することができる。
【００３７】
また、各機能ブロックへの動作電力の供給元がサブ電池９であるときにメイン電池３２が電波モジュール本体２に対して正常に装着されると、メイン電池３２が電波モジュール本体２に対して正常に装着された旨をトリガとして各機能ブロックへの動作電力の供給元がサブ電池９からメイン電池３２へ電源部６１により切替えられるように構成したので、サブ電池９の容量の消耗を必要最小限に抑制することができ、電波モジュール１としての製品寿命をより一層長くすることができる。
【００３８】
さらに、電波モジュール本体２がナンバープレート４から取外されることなく且つ防水構造を有する着脱機構によりメイン電池３２が電波モジュール本体２に対して着脱可能であると共に、その着脱方向がナンバープレート４の上方向、横方向または下方向のいずれかであるよう構成したので、着脱箇所で防水性を確保することができると共に、ナンバープレート４の上方向、横方向または下方向のいずれかから着脱することができる。
【００３９】
ところで、上記した構成では、図８に示すように、メイン電池３２が電波モジュール本体２に対して正常に装着された態様で電波モジュール１の一部の箇所（特には電池側コネクタ３６と本体側コネクタ１９との嵌合箇所）または全体がカバー７１により覆われる構成であっても良い。このように構成すれば、電波モジュール１に汚れや水滴が直接付着されるのを未然に回避することができ、また、電池側コネクタ３６と本体側コネクタ１９との嵌合箇所が外部に露出されないことから、コネクタ同士の嵌合が自発的に外れてしまうことを回避することができると共に、第三者によりコネクタ同士の嵌合が意図的に外されてしまうことをも回避することができる。
【００４０】
（第２の実施形態）
次に、本発明の第２の実施形態について、図９を参照して説明する。尚、上記した第１の実施形態と同一部分については説明を省略し、異なる部分について説明する。上記した第１の実施形態は、電波モジュール本体２が取付けステー３を介してナンバープレート４に取付けられている態様でメイン電池収容部３３がナンバープレート４の上方に開口を有するように構成されていることにより、メイン電池３２が電波モジュール本体２に対してナンバープレート４の上方向から着脱されるものであるが、これに対して、第２の実施形態は、電波モジュール本体が取付けステーを介してナンバープレートに取付けられている態様でメイン電池収容部がナンバープレートの横方に開口を有するように構成されていることにより、メイン電池が電波モジュール本体に対してナンバープレートの横方向から着脱されるものである。
【００４１】
すなわち、電波モジュール８１は、電波モジュール本体８２が取付けステー８３を介してナンバープレート４に取付けられるように構成されており、電波モジュール本体８２が取付けステー８３を介してナンバープレート４に取付けられている態様では、メイン電池収容部８４が電波モジュール本体８２と取付けステー８３とからナンバープレート４の左方に開口を有するように構成されている。この場合、メイン電池８５は、電波モジュール本体８２に対してナンバープレート４の左方向から着脱されることになる。尚、電波モジュール本体８２に一体に形成されている本体側コネクタ８６とメイン電池８５から引出されている電池側コネクタ８７との関係は、上記した第１の実施形態に記載した本体側コネクタ１９と電池側コネクタ３６との関係と比較すると、それらの嵌合方向が異なっているのみであり、基本的構造や嵌合形態は同じである。
【００４２】
この第２の実施形態においても、上記した第１の実施形態に記載したものと同様の作用効果を得ることができ、すなわち、メイン電池８５が電波モジュール本体８２に対して着脱可能に構成したので、メイン電池８５の容量が消耗した場合には、容量が消耗したメイン電池８５から容量が十分なメイン電池８５に交換することにより、電波モジュール８１としての製品寿命を長くすることができる。
【００４３】
（その他の実施形態）
本発明は、上記した実施形態にのみ限定されるものではなく、以下のように変形または拡張することができる。
電波モジュール本体が取付けステーを介してナンバープレートに取付けられている態様でメイン電池収容部がナンバープレートの下方に開口を有するように構成されていても良く、メイン電池が電波モジュール本体に対してナンバープレートの下方から着脱される構成であっても良い。
【００４４】
異常検出部は、電波モジュール本体にあって筐体とプリント基板との間に配置されるものに限らず、他の箇所に配置されるものであっても良いし、また、接点スイッチから構成されるものに限らず、他の構造のスイッチやセンサから構成されるものであっても良い。
サブ電池及びメイン電池は、充電不可能な（使い切り型の）一次電池に限らず、充電可能な二次電池でも良い。その場合、特にメイン電池が二次電池である場合には、メイン電池が電波モジュール本体に対して正常に装着され、各機能ブロックへの動作電力の供給元がサブ電池からメイン電池へ切替えられた後に、メイン電池からサブ電池へ電力が供給されてサブ電池が充電される構成であっても良い。
【図面の簡単な説明】
【００４５】
【図１】本発明の第１の実施形態を示す機能ブロック図
【図２】電波モジュール本体及び取付けステーの横断平面図
【図３】取付けステーがナンバープレートに取付けられた態様を示す正面図（ａ）及び横断平面図（ｂ）
【図４】電波モジュール本体が取付けステーを介してナンバープレートに取付けられた態様を示す正面図（ａ）及び横断平面図（ｂ）
【図５】電波モジュール本体が取付けステーを介してナンバープレートに取付けられた態様で取付けボルトが封印された態様を示す正面図（ａ）及び横断平面図（ｂ）
【図６】メイン電池が電波モジュール本体に対して装着される態様を示す図
【図７】メイン電池が電波モジュール本体に対して装着された態様を示す正面図（ａ）及び横断平面図（ｂ）
【図８】カバーが取付けられた態様を示す正面図
【図９】本発明の第２の実施形態を示すものであって、メイン電池が電波モジュール本体に対して装着される態様を示す図
【符号の説明】
【００４６】
図面中、１は電子ナンバープレート用の電波モジュール、２は電波モジュール本体、９はサブ電池、１９は本体側コネクタ（着脱機構）、３２はメイン電池、３６は電池側コネクタ（着脱機構）、５１は制御部、５３はＲＦ部、５５は不揮発性メモリ（記憶部）、５６はウェイクアップ部、５７は異常検出部、５８は判定部、５９は低周波発振部、６０は揮発性メモリ（記憶部）、６１は電源部、８１は電波モジュール、８２は電波モジュール本体、８５はメイン電池である。
【図１】
2006311075.tif 000003
【図２】
2006311075.tif 000004
【図３】
2006311075.tif 000005
【図４】
2006311075.tif 000006
【図５】
2006311075.tif 000007
【図６】
2006311075.tif 000008
【図７】
2006311075.tif 000009
【図８】
2006311075.tif 000010
【図９】
2006311075.tif 000011